(57)【要約】【課題】着用感を損ねることなく、バストの脇流れを防ぐ効果に優れるカップ部を有する衣類の提供。【解決手段】バストを被覆する一対のカップ部と、該カップ部の中央側下辺に縫着される土台部と、該カップ部の脇側下辺に縫着されるサイド部と、該サイド部の端部より背中側へ延設されたバック部と、カップ部とバック部とを連接する一対の肩紐と、土台部、サイド部およびバック部の下部に縫着されたアンダー部とを備えたカップ部を有する衣類であって、該サイド部はカップ部の脇側下辺からアンダー部にかけて設けられるとともに、カップ部下辺の上端からアンダー部にかけて形成されるサイド部の後辺部がカップ部から背中側へ斜め下方傾斜しており、かかる傾斜と同方向にサイド部が緊迫力を有するよう形成されていることを特徴とするカップ部を有する衣類。【選択図】  図２
0003180303.tif 000002
【実用新案登録請求の範囲】
【請求項１】
バストを被覆する一対のカップ部と、該カップ部の中央側下辺に縫着される土台部と、該カップ部の脇側下辺に縫着されるサイド部と、該サイド部の端部より背中側へ延設されたバック部と、カップ部とバック部とを連接する一対の肩紐と、土台部、サイド部およびバック部の下部に縫着されたアンダー部とを備えたカップ部を有する衣類であって、該サイド部はカップ部の脇側下辺からアンダー部にかけて設けられるとともに、カップ部下辺の上端からアンダー部にかけて形成されるサイド部の後辺部がカップ部から背中側へ斜め下方傾斜しており、かかる傾斜と同方向にサイド部が緊迫力を有するよう形成されていることを特徴とするカップ部を有する衣類。
【請求項２】
前記サイド部の緊迫力が、サイド部の上部において下部に比べてより強くなるよう形成されていることを特徴とする請求項１に記載のカップ部を有する衣類。
【請求項３】
前記サイド部はポリウレタン系弾性糸よりなるたて編地で構成されていることを特徴とする請求項１または２のいずれかに記載のカップ部を有する衣類。
【請求項４】
前記サイド部の後辺部の傾斜角度が、水平に対し４０°〜７０°であることを特徴とする請求項１ないし３のいずれかに記載のカップ部を有する衣類。
【請求項５】
前記サイド部の裏側全体にポリウレタン系弾性糸よりなるたて編地で裏当てしていることを特徴とする請求項１ないし請求項４のいずれか１項に記載のカップ部を有する衣類。
【請求項６】
前記サイド部の緊迫力が、サイド部の上部において下部に比べてポリウレタン系弾性糸の本数や太さを調整することで２倍程度強くなるよう形成されていることを特徴とする請求項３ないし請求項５のいずれか１項に記載のカップ部を有する衣類。
【考案の詳細な説明】
【技術分野】
【０００１】
本考案は、女性用の下着であるブラジャーやブラキャミなどのカップ部を有する衣類に関する。
【背景技術】
【０００２】
従来、女性用の下着であるブラジャーやブラキャミなどのカップ部を有する衣類において、バストが脇へ拡がって流れてしまい、バストアップ効果が薄れるとともにバストの形が崩れてしまうことが問題として認識されていた。
【０００３】
そこで、特許文献１では、バストの下側外縁にあたるいわゆるバージスラインを斜め方向から支えるボーンを設けることにより、バージスラインを安定して保持し、着用時にバストが脇へ流れることを抑制することができるブラジャーが開示されている。
【０００４】
しかしながら、このようにボーンをバストの脇に設けると、剛性を有する素材で形成されたボーンがバストの横に押し付けられることになり、着用感が損なわれるおそれがあった。
【先行技術文献】
【特許文献】
【０００５】
【特許文献１】特開平１０−２９２２０８
【考案の概要】
【考案が解決しようとする課題】
【０００６】
本考案は、従来のカップ部を有する衣類のかかる欠点を克服し、着用感を損ねることなく、効果的にバストの脇流れを防ぐカップ部を有する衣類を提供することをその課題とするものである。
【課題を解決するための手段】
【０００７】
本考案は、上記課題を解決するものであり、バストを被覆する一対のカップ部と、該カップ部の中央側下辺に縫着される土台部と、該カップ部の脇側下辺に縫着されるサイド部と、該サイド部の端部より背中側へ延設されたバック部と、カップ部とバック部とを連接する一対の肩紐と、土台部、サイド部およびバック部の下部に縫着されたアンダー部とを備えたカップ部を有する衣類であって、該サイド部はカップ部の脇側下辺からアンダー部にかけて設けられるとともに、カップ部下辺の上端からアンダー部にかけて形成されるサイド部の後辺部がカップ部から背中側へ斜め下方傾斜しており、かかる傾斜と同方向にサイド部が緊迫力を有するよう形成されていることを特徴とするカップ部を有する衣類である。
【考案の効果】
【０００８】
本考案のカップ部を有する衣類は、カップ部の脇側の下辺からアンダー部にかけて他の身生地よりも緊迫力を有するサイド部を設けるとともに、かかるサイド部がカップ部から背中側へ斜め下方傾斜するように形成され、その緊迫力がその傾斜と同方向に働くことにより、効果的にバストの脇流れを防ぐことができる。
【０００９】
また、本考案のカップ部を有する衣類で、サイド部の緊迫力を上部が下部に対してより強くなるように二段階に形成したものは、バスト横から脇下にかけて斜め下方向に２段階の緊迫力が働き、バージスラインの下辺を安定的に支持することができる。
【００１０】
さらに、本考案のカップ部を有する衣類は、ボーンやワイヤー等を設けることなくバージスラインを安定的に支持することができるため、着用感を損ねることがない。
【図面の簡単な説明】
【００１１】
【図１】本考案に係るカップ部を有する衣類の斜視図。
【図２】本考案に係るカップ部を有する衣類の側面図。
【考案を実施するための形態】
【００１２】
以下、本考案のカップ部を有する衣類の一実施態様について、図面に基づいて具体的に説明する。なお、本考案はこれら実施態様に何ら制約されるものではない。
【００１３】
図１は本考案に係るカップ部を有する衣類の斜視図、図２は本考案に係るカップ部を有する衣類の側面図である。図中、１はカップ部、２は土台部、３はバック部、４は肩紐、５はアンダー部、６はサイド部、７ａはサイド部、７ｂはサイド部、８はメッシュ部、１１はカップ部脇辺、１２ａはカップ部下辺、１２ｂはカップ部下辺、１３はカップ部上辺、２１は土台部端部、３１はヘム、７１は後辺部、１２１はカップ部下辺上端部をそれぞれ示す。
【００１４】
各図に示すように、本考案にかかるカップ部を有する衣類は、バストを被覆する左右のカップ部１と、カップ部１の下辺１２ｂに縫着される土台部２と、カップ部１の下辺１２ａに縫着されるサイド部６、７ａおよび７ｂと、サイド部７ｂの端部７１から背中側へ延設されたバック部３により胸回りを被覆すように形成されており、土台部２、サイド部６、７ａ及び７ｂ、さらにバック部３の下部には、ゴム等の弾性体を包含するアンダー部５が設けられている。また、カップ部１の頂部からは肩紐４がバック部３へと連設されている。
【００１５】
以下、各部位について詳述する。本考案のカップ部を有する衣類は、カップ部１の内側には乳房を保持するパッドが設けられ、左右のカップ部１の間には非伸縮性の支持布部が縫着されている（図示せず）。カップ部１は、肩紐４との接合部からバスト中央にかけて配置される上辺１３と、肩紐４との接合部から脇下方向にかけて配置される脇辺１１と、バスト下部のいわゆるバージスラインに配置される下辺１２を備えている。本実施態様では、便宜上、バストの脇側を下辺１２ａ、バストの中央側を下辺１２ｂと分けて説明するが、下辺１２ａと下辺１２ｂを一体に形成することを妨げるものではない。なお、本実施態様では、下辺１２ａと下辺１２ｂの境界は、バージスラインの下端点よりもやや脇側へ寄った位置になるよう形成されている。
【００１６】
図２に示すように、サイド部６、７ａおよび７ｂからなる部分は、カップ部１の下辺１２ａからアンダー部５に延伸して設けられ、サイド部６側の端部が土台部２の端部２１に縫着されるとともに、サイド部７ｂ側の後辺部７１がバック部３の端部に縫着されている。かかる後辺部７１は、下辺１２ａの上端部１２１からアンダー５にかけて、カップ部から背中側へ斜め下方傾斜するよう形成されている。なお、本実施態様では、サイド部は通気性を向上するためにメッシュ部８により６、７ａおよび７ｂの３つの区画に分けられているが、かかるメッシュ部８は設けずにサイド部６、７ａおよび７ｂを連続して形成してもよい。
【００１７】
サイド部７ａおよび７ｂは、サイド部の後辺部７１の傾斜に沿って、カップ部１の下辺１２ａの上部からアンダー部５へと斜め下方向に傾斜する帯状に形成されている。本実施態様では、サイド部７ａと７ｂの間に後辺部７１と平行するメッシュ部８を設けているが、かかるメッシュ部８は設けずにサイド部７ａと７ｂを同一の生地で一体に形成しても良い。
【００１８】
サイド部７ａの下部（サイド部の説明では後辺部７１側を上部とし、土台部２の端部２１側を下部とする。以下同様とする。）には、メッシュ部８を介してサイド部６が設けられている。サイド部６は、カップ部１の下辺１２ａの下部からアンダー部５にかけて設けられており、前方の端部が土台部２の端部２１に縫着され、後方の端部がメッシュ部８に縫着されているが、かかるメッシュ部８は設けずにサイド部７ｂに直接縫着しても良い。
【００１９】
サイド部６とサイド部７ａおよびサイド部７ｂは、ともにポリウレタン系弾性糸よりなるたて編地で構成され、後辺部７１の傾斜と同方向に、他の身生地よりも強い緊迫力を有するように形成されている。このように、サイド部の後辺部７１の傾斜角度と緊迫力の働く方向は密接に関連しており、最も効果的にバストの脇流れを防ぐためには、その傾斜角度を水平に対し４０°〜７０°の範囲とすることが好ましい。なお、サイド部に使用されるたて編地の素材としてはポリウレタン系弾性糸と、綿、レーヨン等のセルロース系糸、または、ナイロン、ポリエステルなどの合成繊維系糸との組み合せが好適であり、編地組織は、サテンネット、トリコネット、パワーネット等何れでも良く、ポリウレタン系弾性糸の本数や太さにより、緊迫力の強さを調整することができる。
【００２０】
さらに、本考案にかかるカップ部を有する衣類は、上部のサイド部７ａおよびサイド部７ｂが下部のサイド部６に対してより強い緊迫力を有するように形成することが好ましい。具体的には、サイド部７ａおよびサイド部７ｂが、サイド部６に対しポリウレタン系弾性糸の本数や太さを調整することで２倍程度の緊迫力を有するように形成することが望ましい。このように、下部のサイド部６に対し、上部のサイド部７ａおよびサイド部７ｂの緊迫力を強くすることで、バスト横から脇下にかけて斜め下方向に２段階の緊迫力が働き、ボーンやワイヤー等を設けることなくバージスラインの下辺１２ａを安定的に支持することができる。
【００２１】
また、サイド部６とサイド部７ａおよびサイド部７ｂは、それらの裏側全体にポリウレタン系弾性糸よりなるたて編地で裏当てをし、さらにサイド部全体の緊迫力を上げることが好ましい。かかる裏当ての編地組織としては、一例として前記パワーネットが挙げられる。このように、サイド部全体に裏当てを設けることにより、さらに脇流れを効果的に防ぐことができる。
【００２２】
以上の通り、本考案にかかるカップ部を有する衣類は、カップ部１の下辺１２ａからアンダー部５にかけて斜め下方に緊迫力を有するサイド部により下辺１２ａ（バージスライン）を支持し、バストの脇流れを防ぐことができる。特に、上部のサイド部７ａおよびサイド部７ｂが下部のサイド部６に対してより強い緊迫力を有するように形成されているため、カップ部１脇から流れ易いバスト上脇肉の脇流れを効果的に抑制することができる。そして、カップ部の脇にボーン等を設ける必要がないため、着用感を損ねるおそれもない。
【００２３】
本考案にかかるカップ部を有する衣類は、上述のブラジャーとして最も効果的に用いることができるが、これに限らず、いわゆるキャミブラタイプのものや、スポーツタイプのハーフトップなどカップ部を有する衣類であれば適用することができる。
【符号の説明】
【００２４】
１……カップ部
２……土台部
３……バック部
４……肩紐
５……アンダー部
６……サイド部    
７ａ……サイド部
７ｂ……サイド部
８……メッシュ部
１１……カップ部脇辺
１２ａ……カップ部下辺
１２ｂ……カップ部下辺
１３……カップ部上辺
２１……土台部端部
３１……ヘム
７１……後辺部
１２１……上端部
【図１】
0003180303.tif 000003
【図２】
0003180303.tif 000004